(57)【要約】【課題】流入する血液が、損傷や空気の混入などを生じることなく底部に近接した収集領域に到達するような静脈血液貯留器を提供する。【解決手段】静脈血液貯留器(1)は、中空の筒状をなすフィルタ体(3)を収容する硬質の外殻(2)を備え、外殻(2)は、血液が流入するためのカップリング(5,6,7,8,9,10)を有する上蓋部(4)と、フィルタ体(3)によって定められる空間部と、底部に設けられたコネクタ(21)と、上蓋部(4)の下方に配設され、カップリング(5,6,7,8,9,10)から流入する血液を受容するダイヤフラム(12)とを備える。ダイヤフラム(12)の中央孔(12a)の軸線上には、中央孔(12a)の縁部に近接するまで上方に突設され、外殻(2)の基部にある収集領域に向けて重力により流動する血液を保持するように形成された上下方向の羽根部(19)を有する柱状部材(17)が設けられている。【選択図】図２
2008000597.tif 000002
【特許請求の範囲】
【請求項１】
中空の筒状をなすフィルタ体を収容した硬質の外殻を備え、上記外殻は、上記フィルタ体によって定められた空間部に連通して血液の流入のために設けられた複数のカップリングを上蓋部に有すると共に、上記空間部に連通するコネクタが底部に設けられており、上記コネクタには、患者及び心臓切開手術用貯留器のそれぞれからの血液流入ラインに接続される２つのカップリングが設けられている体外血液循環路における静脈血液貯留器において、
上記上蓋部の下方に配置され、上記上蓋部の周縁領域に設けられたカップリングを介して流入する血液をその面に対して直交する方向の流動成分が生じることのないように受容するダイヤフラムであって、中央孔を備え、上記中央孔の縁部には、上記ダイヤフラム上を流動する血液が上記中央孔に流入するように上記血液を導く複数の仕切部が設けられているダイヤフラムと、
上記ダイヤフラムの上記中央孔の軸線上に配設された柱状部材であって、上記中央孔の縁部に近接するまで上方に突設されると共に、上記外殻の基部にある収集領域に向けて重力により流れる血液を保持するように上下方向に形成された羽根部を有する柱状部材とを備え、
上記柱状部材の上端部に、上記上蓋部の中央領域に設けられたカップリングの流出部の直下で上記流出部に対向する突出部が設けられることにより、上記上蓋部の中央領域に設けられた上記カップリングを通って流入して上記羽根部に接触するまで、上記突出部の壁面を重力により流動する血液が上記突出部によって保持されることを特徴とする体外血液循環路における静脈血液貯留器。
【請求項２】
上記底部のコネクタは、円形状の流通孔を有することを特徴とする請求項１に記載の体外血液循環路における静脈血液貯留器。
【発明の詳細な説明】
【技術分野】
【０００１】
本発明は、体外血液循環路における静脈血液貯留器に関する。
【背景技術】
【０００２】
ある種の外科手術の際に設置される体外血液循環路における装置の１つとして、硬質の外殻を備えた容器が知られている。この外殻は、その上蓋部に設けられたカップリングにより血液を受け取るように構成されており、このカップリングは、例えば動脈血液フィルタの出口や試料採取口から、或いは「腔内カニューレ」として知られている患者の心臓に直接接続されたカニューレからのいくつかのラインに接続されるようになっている。
【０００３】
また、上記外殻は、その底部において、２つのカップリングからなるコネクタが、患者の静脈からの血液吸入ライン、及び心臓切開手術用貯留器として知られた、手術を行う場所で収集された血液を受け取り濾過するための容器体からの血液吸入ラインにそれぞれ接続される。
上述したような硬質の外殻を備えた容器は、「血液貯留器」として知られている。
【発明の開示】
【発明が解決しようとする課題】
【０００４】
このような血液貯留器においては、内部を流動する血液の損傷や血液中への空気の混入があると、この血液が適用される患者に悪影響を及ぼすため、このような血液の損傷や血液中への空気の混入を防止する必要がある。
本発明はこのような課題に鑑みてなされたものであり、その目的とするところは、流入する血液、特に上蓋部に設けられたカップリングからの血液が、損傷や空気の混入などを生じることなく底部に近接した収集領域に到達するような静脈血液貯留器を提供することにある。
【課題を解決するための手段】
【０００５】
上記目的を達成するため、本発明の体外血液循環路における静脈血液貯留器は、中空の筒状をなすフィルタ体を収容した硬質の外殻を備え、上記外殻は、上記フィルタ体によって定められた空間部に連通して血液の流入のために設けられた複数のカップリングを上蓋部に有すると共に、上記空間部に連通するコネクタが底部に設けられており、上記コネクタには、患者及び心臓切開手術用貯留器のそれぞれからの血液流入ラインに接続される２つのカップリングが設けられている体外血液循環路における静脈血液貯留器において、上記上蓋部の下方に配置され、上記上蓋部の周縁領域に設けられたカップリングを介して流入する血液をその面に対して直交する方向の流動成分が生じることのないように受容するダイヤフラムであって、中央孔を備え、上記中央孔の縁部には、上記ダイヤフラム上を流動する血液が上記中央孔に流入するように上記血液を導く複数の仕切部が設けられているダイヤフラムと、上記ダイヤフラムの上記中央孔の軸線方向に配設された柱状部材であって、上記中央孔の縁部に近接するまで上方に突設されると共に、上記外殻の基部にある収集領域に向けて重力により流れる血液を保持するように上下方向に形成された羽根部を有する柱状部材とを備え、上記柱状部材の上端部に、上記上蓋部の中央領域に設けられたカップリングの流出部の直下で上記流出部に対向する突出部が設けられることにより、上記上蓋部の中央領域に設けられた上記カップリングを通って流入して上記羽根部に接触するまで、上記突出部の壁面を重力により流動する血液が上記突出部によって保持されることを特徴とする。
【発明の効果】
【０００６】
本発明の体外血液循環路における静脈血液貯留器によれば、上蓋部の中央領域に設けられたカップリングを通って流入した血液は、羽根部と接触するまで突出部の壁部と接触した状態で流動するように突出部に保持されるので、損傷や空気の混入が生じることのないようにして下方に案内される。また、血液がダイヤフラムから離れたときに、仕切部を通って重力により流動する血液は、羽根部に接触した状態で受容され、外殻の基部にある収集領域へ向かって下方へ移動する際に、羽根部に保持される。従って、血液の損傷や血液中への空気の混入を確実に最大限になくすようにした血液の流動状態が得られる。
【発明を実施するための最良の形態】
【０００７】
本発明の更なる特徴及び効果は、添付図面における限定されない例によって示された、好ましいが限定的ではない実施形態の説明によって明らかになる。
以下、図面に基づき本発明の一実施形態について説明する。
各図において、符号１は全般に静脈血液貯留器を示している。静脈血液貯留器１は、中空の筒状をなすフィルタ体３を収容した硬質の外殻２を有している。
【０００８】
外殻２の上蓋部４には、いくつかの異なる箇所から静脈血液貯留器１へと血液を搬送するためのラインとの接続に適合して上蓋部４の周縁領域に配列されたカップリング５，６，７，８，９，１０が設けられると共に、好ましくは空洞吸引カニューレとの接続に適合した中央カップリング１１が設けられている。
上蓋部４の下方には、ダイヤフラム１２が設けられている。このダイヤフラム１２は、図２に矢印で示すように、上蓋部４の周縁領域にあるカップリングから流入した血液を、ダイヤフラム１２の面に対して直交するような流動成分を有さない流動状態で受容することができるような形状をなしている。また、ダイヤフラム１２は中央孔１２ａを備えており、この中央孔１２ａの縁部には、ダイヤフラム１２上で流動する血液流を、中央孔１２ａに流入するように案内するべく形成された４つの仕切部１３，１４，１５，１６が設けられている。
【０００９】
符号１７は全般に柱状部材を示している。柱状部材１７は、中央孔１２ａの軸線上に配置されており、基部の手前でとぎれた円錐状本体１８を備えている。円錐状本体１８は、円錐状本体１８の径方向に突出して上下方向に形成された羽根部１９を有する。羽根部１９は、少なくともその一部が外殻２の底部まで下方に延設されていると共に、中央孔１２ａの縁部に近接するように上方に延設されている。このようにして羽根部１９が柱状部材１７に設けられることにより、血液がダイヤフラム１２から離れたときに、仕切部１３，１４，１５，１６を通って重力により流動する血液が、羽根部１９に接触した状態で受容され、外殻２の底部に近接した収集領域へ向かって下方へ移動する際に、羽根部１９に保持される。これにより、血液の損傷や血液中への空気の混入を確実に最大限になくすようにした血液の流動状態が得られる。
【００１０】
柱状部材１７の円錐状本体１８の上端部には、突出部１８ａが設けられている。この突出部１８ａは、中央孔１２ａを貫通することにより、中央カップリング１１の出口の直下でこの出口に対向しており、図２に矢印で示すように、中央カップリング１１から流入した血液を、羽根部１９と接触するまで突出部１８ａの壁部と接触した状態で流動するように保持することで、血液は損傷や空気の混入が全く生じることのないようにして下方に案内される。
【００１１】
静脈血液貯留器１から血液が流出するための孔２０が設けられた外殻２の底部には、２つのカップリング２２，２３を備えたコネクタ２１が設けられている。これらカップリング２２，２３は、患者及び心臓切開手術用貯留器のそれぞれからの血液を静脈血液貯留器１への流入させるためのラインに接続されるようになっている。血液流通口の壁部は、２つの円形２１ａ，２１ｂで形成されており、図２に矢印で示すように底部から静脈血液貯留器１に流入する血液の流れを均等に配分するような形状になっている。
【００１２】
上述した本発明は、様々な変更や変形が可能であり、それらはいずれも添付の特許請求の範囲内にある。また、詳細の全ては技術的に均等な別の部材に置き換えるようにしても良い。
【図面の簡単な説明】
【００１３】
【図１】本発明の一実施形態に係る静脈血液貯留器の斜視図である。
【図２】図１の静脈血液貯留器の軸線方向における断面図である。
【図３】ダイヤフラムの斜視図である。
【図４】図２のIV−IV線に沿った断面図である。
【図５】図２のV−V線に沿った断面図である。
【符号の説明】
【００１４】
１  静脈血液貯留器
２  外殻
３  フィルタ体
４  上蓋部
５，６，７，８，９，１０  カップリング
１１  中央カップリング
１２  ダイヤフラム
１２ａ  中央孔
１３，１４，１５，１６  仕切部
１７  柱状部材
１９  羽根部
２１  コネクタ
２２，２３  カップリング
【図１】
2008000597.tif 000003
【図２】
2008000597.tif 000004
【図３】
2008000597.tif 000005
【図４】
2008000597.tif 000006
【図５】
2008000597.tif 000007